(57)【要約】【課題】段ボール原紙、合成樹脂フィルム等の帯状シート材、ベルト等を長手方向に走行させるガイドローラ等に用いる自動調心ローラであって、簡単な構造として低コストで製作できるとともに、披走行材の蛇行を確実に防止できるようにする。【解決手段】円筒状のローラ本体４の内側に支持軸５を貫挿し、該支持軸の中間部に固設した自動調心軸受６により該ローラ本体を傾動自在に支持するとともに、該支持軸の両端部寄りに該ローラ本体の両端部を内面から支持する環状弾性体８を設ける。【選択図】図２
2005256874.tif 000002
【特許請求の範囲】
【請求項１】
円筒状のローラ本体の内側に支持軸を貫挿し、該支持軸の中間部に固設した自動調心軸受により該ローラ本体を傾動自在に支持するとともに、該支持軸の両端部寄りに該ローラ本体の両端部を内面から支持する環状弾性体を設けてなることを特徴とした自動調心ローラ。
【請求項２】
支持軸の両端部寄りに軸受を介在させて環状弾性体を回転自在に設けた請求項１に記載の自動調心ローラ。
【請求項３】
環状弾性体はウレタンゴムからなる環状体に多数の透孔を穿設したものである請求項１または２に記載の自動調心ローラ。
【発明の詳細な説明】
【技術分野】
【０００１】
本発明は、段ボール原紙等の帯状シート材、ベルト等を長手方向に走行させるガイドローラ等に用いられ、その蛇行を防止し得る自動調心ローラに関するものである。
【背景技術】
【０００２】
例えば段ボール原紙を加熱ローラの表面に巻回させるために設けられるガイドローラに関しては、従来から蛇行修正装置が設けられ、熱によって段ボール原紙が伸縮し横ズレすることによる蛇行が防止されるようにしている。
【０００３】
また、下記特許文献１に示されたベルト調心装置は、センサによってベルトの蛇行を検知し、モータによってガイドローラを所要方向に傾動させ蛇行が自動修正されるようにしたものである。
【０００４】
また、下記特許文献２に示された蛇行修正装置は、ローラの軸の両端を自動調心軸受により支持するとともに、該自動調心軸受をベルト進行方向に傾斜したケース内に収容し、該ローラが該ケースに案内されて傾動することでベルトの蛇行が自動修正されるようにしたものである。
【特許文献１】特開平８−０２２２１３号公報
【特許文献２】特開平６−２４７５２６号公報
【発明の開示】
【発明が解決しようとする課題】
【０００５】
ところで従来の上記ベルト調心装置は、センサ，制御装置，モータ等を要することから構造が複雑でコストが高くなるという問題がある。また、上記蛇行修正装置は、披走行材であるベルトや段ボール原紙等の帯状シート材の蛇行に敏感に反応し難いという問題があった。
【課題を解決するための手段】
【０００６】
そのために本発明の自動調心ローラは、円筒状のローラ本体の内側に支持軸を貫挿し、該支持軸の中間部に固設した自動調心軸受により該ローラ本体を傾動自在に支持するとともに、該支持軸の両端部寄りに該ローラ本体の両端部を内面から支持する環状弾性体を設けてなることを特徴とする。
また、本発明は上記自動調心ローラにおいて、支持軸の両端部寄りに軸受を介在させて環状弾性体を回転自在に設けたことを特徴とする。
また、本発明は上記自動調心ローラにおいて、環状弾性体はウレタンゴムからなる環状体に多数の透孔を穿設したものであることを特徴とする。
【発明の効果】
【０００７】
構造が簡単な故に低コストで製作できるとともに、披走行材の張力の偏在に敏感に反応し蛇行を確実に防止することができる。また、環状弾性体を設けたことにより該環状弾性体の弾性により披走行材の張力に応答する度合が適宜調節され、披走行材の材質や厚さ等の要素に応じた適切な設定が可能となる。
【実施例１】
【０００８】
図１は本発明に係る自動調心ローラを段ボール紙製造設備のガイドローラとして使用した例を示し、１は自動調心ローラ、２は披走行材である帯状の段ボール原紙、３は該自動調心ローラ１によって段ボール原紙２を表面に巻回させている加熱ローラである。
【０００９】
この自動調心ローラ１の縦断面図を図２に示す。同図中、４は円筒状のローラ本体、５は水平に固設された支持軸で、該支持軸はローラ本体４の内側に貫挿される。６は該支持軸の中間部に固設した自動調心軸受で、該自動調心軸受により該ローラ本体４が傾動自在に支持される。なお、自動調心軸受６は内輪６ａの外周面および外輪６ｂの内周面が球面状に形成され、その内外周面間に多数のコロ６ｃを設けてなる周知の自動調心コロ軸受である。
【００１０】
また、図３にも示したように、支持軸５の両端部寄りに内輪７ａと外輪７ｂとコロ７ｃとからなるラジアルコロ軸受７を設け、該軸受７の外周に環状弾性体８を外嵌し、該環状弾性体の外周をローラ本体の内面に当接させて該ローラ本体の両端部を内面から支持する。該環状弾性体８はウレタンゴムからなる環状体に多数の透孔８ａを穿設することにより弾力性に富むように形成されたものである。
【００１１】
このように構成した自動調心ローラ１は、ローラ本体４が自動調心軸受６を中心として傾動し得るので、段ボール原紙２に掛かる張力が幅方向に偏在すると、その張力に引かれローラ本体４が、図２に仮想線で示したように、張力の強い方向に傾動する。このため、段ボール原紙の張力の偏在が自然と解消され、蛇行が防止されるほか、反りや皺が防止され、変形した紙管、巻きムラのある原紙でも問題なく走行させることができる。また、プレヒーター部に取り付けた場合、均一な原紙との常に均一な接触がなされ、均一加熱を可能にするなど種々の利点がある。
【００１２】
また、環状弾性体８はローラ本体４が傾動する際にこれを元に戻そうとする機能があるので、段ボール原紙の張力の偏在に対して過敏に反応したり過剰に傾動するのを防ぐことができ、一層安定した走行を可能にする。なお、ウレタンゴムの材質や透孔８ａの孔径や穿設数によってこの環状弾性体８の弾力性を適宜設定することができる。
【００１３】
また、段ボール原紙に限らず、金属ストリップ、合成樹脂フィルム等種々の披走行材の材質や厚さ、走行速度等の要素に応じて環状弾性体８の弾力性は適宜に設定することができる。このため、該環状弾性体の材料としては、スポンジ等の柔らかいものからスチールバネのような硬質のものまで用途に応じて適宜選定される。また、コイルバネを使用する場合は、複数個のコイルバネを支持軸５の周囲に放射状に配置することにより環状弾性体を構成することも可能である。
【００１４】
以上説明したように本発明の自動調心ローラは、ローラ本体が披走行材の張力に従って傾動するので、蛇行の原因となる張力の偏在が解消され、蛇行あるいは横ズレ等のトラブルを防止できる。そして非常に簡単な構造であり、構成に必要な部品点数も少ないので、低コストで製作できるとともに、ローラ本体を支持軸に一点で支持していることから外力に敏感に反応し傾動することによって常に披走行材を正しくガイドできる。また、ローラ本体の両端部を環状弾性体によって支持したことにより走行性を一層安定させられる利点がある。
【産業上の利用可能性】
【００１５】
本発明の自動調心ローラは、実施例に示した段ボール製造設備に限らず、各種フィルム、ペーパー等の帯状材料の走行ガイドローラ、或いは、ベルトコンベヤのテンションローラ等として幅広く適用することができる。
【図面の簡単な説明】
【００１６】
【図１】本発明の実施例を示す自動調心ローラの使用状態を示した斜視図。
【図２】本発明の実施例を示す自動調心ローラの縦断面図。
【図３】図２のＡ−Ａ線断面図。
【符号の説明】
【００１７】
１      自動調心ローラ
２      披走行材（段ボール原紙）
４      ローラ本体
５      支持軸
６      自動調心軸受
７      軸受
８      環状弾性体
【図１】
2005256874.tif 000003
【図２】
2005256874.tif 000004
【図３】
2005256874.tif 000005